(57)【要約】【課題】画面に表示された映像の調整を行っている間、映像調整用のメニューが画面から消去されるようにする。【解決手段】リモートコントローラ１００のメニューボタンが押されると、テレビジョン受像機２００の画面に表示された映像上に、映像調整用のメニューが合成表示される。リモートコントローラ１００の上下のボタンを操作してメニューの中から所望の項目を選択し、その項目の値を調整するために、リモートコントローラ１００の左右のボタンを操作すると、映像上に合成表示されていたメニューが消去される。ユーザが映像を見ながら調整を行い、調整終了時に決定ボタンを押すとメニューが再表示される。メニューには、上記項目に対して設定された値が表示される。【選択図】図１
2008102328.tif 000002
【特許請求の範囲】
【請求項１】
所定の映像に所定のメニューを合成した合成信号を生成する生成手段と、
前記生成手段によって生成された前記合成信号を出力する出力手段と、
前記メニューから所定の項目を選択する選択手段と、
前記選択手段によって選択された前記項目の値を調整する調整手段と、
前記調整手段によって前記項目の値が調整されている間、前記出力手段が前記映像に対応する映像信号のみを出力するように制御し、前記調整手段による前記項目の値の調整が終了したとき、前記出力手段が前記映像と前記メニューを合成した前記合成信号を出力するよう制御する制御手段と
を備えることを特徴とする表示制御装置。
【請求項２】
前記項目の値の調整が終了したときに前記映像と合成される前記メニューは、前記項目の調整後の更新された調整値を含む
ことを特徴とする請求項１に記載の表示制御装置。
【請求項３】
前記メニューは、前記映像の画質を調整するための項目からなる
ことを特徴とする請求項１または２に記載の表示制御装置。
【請求項４】
所定の映像に所定のメニューを合成した合成信号を生成する生成手段と、
前記生成手段によって生成された前記合成信号を出力する出力手段と、
前記メニューから所定の項目を選択する選択手段と、
前記選択手段によって選択された前記項目の値を調整する調整手段と、
前記調整手段によって前記項目の値が調整されている間、前記出力手段が前記映像に対応する映像信号と、前記選択手段によって選択された前記項目の調整値を表すスライダーを出力するように制御し、前記調整手段による前記項目の値の調整が終了したとき、前記出力手段が前記スライダーを消去し、前記映像と前記メニューを合成した前記合成信号を出力するよう制御する制御手段と
を備えることを特徴とする表示制御装置。
【請求項５】
所定の映像に所定のメニューを合成した合成信号を生成する生成ステップと、
前記生成ステップにおいて生成された前記合成信号を出力する出力ステップと、
前記メニューから所定の項目を選択する選択ステップと、
前記選択ステップにおいて選択された前記項目の値を調整する調整ステップと、
前記調整ステップにおいて前記項目の値が調整されている間、前記映像に対応する映像信号のみが出力されるように制御し、前記調整ステップにおける前記項目の値の調整が終了したとき、前記映像と前記メニューを合成した前記合成信号を出力するよう制御する制御ステップと
を備えることを特徴とする表示制御方法。
【請求項６】
所定の映像に所定のメニューを合成した合成信号を生成する生成ステップと、
前記生成ステップにおいて生成された前記合成信号を出力する出力ステップと、
前記メニューから所定の項目を選択する選択ステップと、
前記選択ステップにおいて選択された前記項目の値を調整する調整ステップと、
前記調整ステップにおいて前記項目の値が調整されている間、前記出力ステップにおいて前記映像に対応する映像信号と、前記選択ステップにおいて選択された前記項目の調整値を表すスライダーが出力されるように制御し、前記調整ステップにおける前記項目の値の調整が終了したとき、前記出力ステップにおいて前記スライダーが消去され、前記映像と前記メニューを合成した前記合成信号を出力するよう制御する制御ステップと
を備えることを特徴とする表示制御方法。
【請求項７】
所定の映像の調整をメニューを用いて行う表示制御装置を制御する表示制御プログラムであって、
前記映像に前記メニューを合成した合成信号を生成する生成ステップと、
前記生成ステップにおいて生成された前記合成信号を出力する出力ステップと、
前記メニューから所定の項目を選択する選択ステップと、
前記選択ステップにおいて選択された前記項目の値を調整する調整ステップと、
前記調整ステップにおいて前記項目の値が調整されている間、前記映像に対応する映像信号のみが出力されるように制御し、前記調整ステップにおける前記項目の値の調整が終了したとき、前記映像と前記メニューを合成した前記合成信号を出力するよう制御する制御ステップとを前記表示制御装置に実行させる
ことを特徴とする表示制御プログラム。
【請求項８】
所定の映像の調整をメニューを用いて行う表示制御装置を制御する表示制御プログラムであって、
前記映像に前記メニューを合成した合成信号を生成する生成ステップと、
前記生成ステップにおいて生成された前記合成信号を出力する出力ステップと、
前記メニューから所定の項目を選択する選択ステップと、
前記選択ステップにおいて選択された前記項目の値を調整する調整ステップと、
前記調整ステップにおいて前記項目の値が調整されている間、前記出力ステップにおいて前記映像に対応する映像信号と、前記選択ステップにおいて選択された前記項目の調整値を表すスライダーが出力されるように制御し、前記調整ステップにおける前記項目の値の調整が終了したとき、前記出力ステップにおいて前記スライダーが消去され、前記映像と前記メニューを合成した前記合成信号を出力するよう制御する制御ステップとを前記表示制御装置に実行させる
ことを特徴とする表示制御プログラム。
【発明の詳細な説明】
【技術分野】
【０００１】
本発明は表示制御装置に関し、特に、映像上にメニューや調整値等の情報を合成表示する表示制御装置に関するものである。
【背景技術】
【０００２】
従来、主画像の中にメニュー画面等の副画像を表示するものがある。その場合、副画像の範囲で主画像が見えなくなるため、副画像の大きさや位置などに応じて主画像の重要部分が見えないといったことや、主画像の表示内容を認識することができないといったことが起こり、例えば画像調整を実施する場合等の種々の状況において操作上不便であるという問題があった。また、ユーザが所望の映像を見損なう場合があるという問題もあった。
そこで、副画像内にも主画像を適宜表示するようにして、副画像が表示されていてもユーザが主画像を見損なうことを防止するようにしたものがある。即ち、画像を生成するための形状情報や色情報を記憶する画像情報記憶手段と、画像情報記憶手段から形状情報や色情報を読み出して副画像を生成する副画像生成手段と、コンポーネント信号であるＲ信号、Ｇ信号およびＢ信号を入力して階調を所定の規則に基づいて変換することで階調変換画像を生成する階調変換画像生成手段と、入力する主画像と副画像と階調変換画像とを位置情報に応じて合成することで合成画像を生成して出力する画像合成手段とを有して構成され、メニュー画面等として与えられる副画像に係る全ての画像領域または一部の画像領域に階調変換画像を表示することで、副画像が大きく表示される場合でも主画像の概要を認識することができて、ユーザの利便性を向上することができ、またユーザが所望の映像を見損なうことを防止できる（例えば、特許文献１参照）。
【特許文献１】特開２００４−００７２３８号公報
【発明の開示】
【発明が解決しようとする課題】
【０００３】
しかしながら、副画像内に主画像を表示した場合、副画像内に表示される主画像の表示色や明るさ等が実際の主画像のものとは異なるため、映像調整を行うときには、副画像の表示領域以外の部分の画質のみに基づいて調整しなければならず、最適な調整ができない可能性があるという問題があった。
本発明はこのような状況に鑑みてなされたものであり、上記問題点を解決できる表示制御装置を提供することを目的とする。
【課題を解決するための手段】
【０００４】
請求項１に記載の表示制御装置は、所定の映像に所定のメニューを合成した合成信号を生成する生成手段と、生成手段によって生成された合成信号を出力する出力手段と、メニューから所定の項目を選択する選択手段と、選択手段によって選択された項目の値を調整する調整手段と、調整手段によって項目の値が調整されている間、出力手段が映像に対応する映像信号のみを出力するように制御し、調整手段による項目の値の調整が終了したとき、出力手段が映像とメニューを合成した合成信号を出力するよう制御する制御手段とを備えることを特徴とする。
また、項目の値の調整が終了したときに映像と合成されるメニューは、項目の調整後の更新された調整値を含むようにすることができる。
また、メニューは、映像の画質を調整するための項目からなるようにすることができる。
請求項４に記載の表示制御装置は、所定の映像に所定のメニューを合成した合成信号を生成する生成手段と、生成手段によって生成された合成信号を出力する出力手段と、メニューから所定の項目を選択する選択手段と、選択手段によって選択された項目の値を調整する調整手段と、調整手段によって項目の値が調整されている間、出力手段が映像に対応する映像信号と、選択手段によって選択された項目の調整値を表すスライダーを出力するように制御し、調整手段による項目の値の調整が終了したとき、出力手段がスライダーを消去し、映像とメニューを合成した合成信号を出力するよう制御する制御手段とを備えることを特徴とする。
請求項５に記載の表示制御方法は、所定の映像に所定のメニューを合成した合成信号を生成する生成ステップと、生成ステップにおいて生成された合成信号を出力する出力ステップと、メニューから所定の項目を選択する選択ステップと、選択ステップにおいて選択された項目の値を調整する調整ステップと、調整ステップにおいて項目の値が調整されている間、映像に対応する映像信号のみが出力されるように制御し、調整ステップにおける項目の値の調整が終了したとき、映像とメニューを合成した合成信号を出力するよう制御する制御ステップとを備えることを特徴とする。
請求項６に記載の表示制御方法は、所定の映像に所定のメニューを合成した合成信号を生成する生成ステップと、生成ステップにおいて生成された合成信号を出力する出力ステップと、メニューから所定の項目を選択する選択ステップと、選択ステップにおいて選択された項目の値を調整する調整ステップと、調整ステップにおいて項目の値が調整されている間、出力ステップにおいて映像に対応する映像信号と、選択ステップにおいて選択された項目の調整値を表すスライダーが出力されるように制御し、調整ステップにおける項目の値の調整が終了したとき、出力ステップにおいてスライダーが消去され、映像とメニューを合成した合成信号を出力するよう制御する制御ステップとを備えることを特徴とする。
請求項７に記載の表示制御プログラムは、所定の映像の調整をメニューを用いて行う表示制御装置を制御する表示制御プログラムであって、映像にメニューを合成した合成信号を生成する生成ステップと、生成ステップにおいて生成された合成信号を出力する出力ステップと、メニューから所定の項目を選択する選択ステップと、選択ステップにおいて選択された項目の値を調整する調整ステップと、調整ステップにおいて項目の値が調整されている間、映像に対応する映像信号のみが出力されるように制御し、調整ステップにおける項目の値の調整が終了したとき、映像とメニューを合成した合成信号を出力するよう制御する制御ステップとを表示制御装置に実行させることを特徴とする。
請求項８に記載の表示制御プログラムは、所定の映像の調整をメニューを用いて行う表示制御装置を制御する表示制御プログラムであって、映像にメニューを合成した合成信号を生成する生成ステップと、生成ステップにおいて生成された合成信号を出力する出力ステップと、メニューから所定の項目を選択する選択ステップと、選択ステップにおいて選択された項目の値を調整する調整ステップと、調整ステップにおいて項目の値が調整されている間、出力ステップにおいて映像に対応する映像信号と、選択ステップにおいて選択された項目の調整値を表すスライダーが出力されるように制御し、調整ステップにおける項目の値の調整が終了したとき、出力ステップにおいてスライダーが消去され、映像とメニューを合成した合成信号を出力するよう制御する制御ステップとを表示制御装置に実行させることを特徴とする。
【発明の効果】
【０００５】
本発明の表示制御装置によれば、メニューから所定の項目を選択してその値を調整している間は、映像に合成して表示したメニューを消去し、映像のみを表示するようにしたので、全画面に表示された映像だけを見ながら映像調整を行うことができる。また、調整終了後にメニューを映像上に合成表示するようにすれば、調整値を確認することができる。
【発明を実施するための最良の形態】
【０００６】
図１は、本発明の表示制御装置を応用したテレビジョン受像機２００と、テレビジョン受像機２００を制御するリモートコントローラ１００を示している。テレビジョン受像機２００の画面には、映像調整を行うための調整メニューが視聴中の映像に重ね合わされて画面の左上部の所定の領域に合成表示されている。
【０００７】
図２は、リモートコントローラ１００の一実施の形態の外観図を示している。図２に示すように、リモートコントローラ１００は、電源をオン／オフするときに操作される電源ボタン１１０と、チャンネルを選択するときに操作される複数のボタンからなるチャンネル選択部１２０と、後述するように、画面上に表示された映像調整メニューの中の調整項目の所定のものにカーソルを移動させるとき、および選択された調整項目の値を調整するときなどにおいて用いられる上ボタン１３１、下ボタン１３２、左ボタン１３３、および右ボタン１３４と、現在の調整値を最終の調整値として設定し、調整作業を終了させるときに操作される決定ボタン１４０と、音量を調節するときに操作される音量調節ボタン１５０と、メニューの表示または消去を指示するときに操作されるメニューボタン１６０等から構成されている。
【０００８】
また、リモートコントローラ１００は、図示しないが、各部を制御する制御部と、各種データを記憶する記憶部と、制御信号を赤外線等により送信する送信部とを有し、制御部は、電源ボタン１１０、チャンネル選択部１２０、上ボタン１３１、下ボタン１３２、左ボタン１３３、右ボタン１３４、および音量調節ボタン１５０が操作されたとき、各ボタンに対応する制御データを生成し、送信部は、この制御データに対応する制御信号を赤外線等により送信するようになっている。
【０００９】
また、このリモートコントローラ１００によって制御されるテレビジョン受像機２００は、アンテナを介して受信した放送電波から所定のチャンネルの番組に対応する映像音声信号を選局して出力するチューナと、その映像音声信号に対応する映像と、後述する映像調整メニューに対応するビットマップイメージを合成し、合成映像信号を出力する合成部と、合成された合成映像信号に対応する合成映像を表示する表示部と、リモートコントローラ１００から送信された制御信号を受信し、対応する制御データを出力する受信部と、この制御データ等に基づいて各部を制御する制御部等を備えている。上記映像調整メニューに対応するビットマップイメージデータは、制御部の制御により生成され、合成部に供給されるものとする。
【００１０】
次に、図３のフローチャートを参照して、テレビジョン受像機２００による映像調整処理の第１の手順について説明する。図３は、リモートコントローラ１００より送信される制御信号を受信したテレビジョン受像機２００の制御部が行う映像調整処理の第１の手順を示すフローチャートである。
【００１１】
まず、ステップＳ１において、テレビジョン受像機２００の制御部により、リモートコントローラ１００よりメニューボタン１６０に対応する制御信号が送信されてきたか否かに基づいて、リモートコントローラ１００のメニューボタン１６０が押されたか否かが判定される。
【００１２】
その結果、メニューボタン１６０が押されていないと判定された場合、ステップＳ１の処理が繰り返し実行される。一方、メニューボタン１６０が押されたと判定された場合、ステップＳ２に進む。
【００１３】
ステップＳ２においては、制御部の制御下、合成部が映像とメニューを合成した合成映像信号を生成して表示部に供給し、図１に示したような映像調整用のメニューが表示部の画面にＯＳＤ（On Screen Display）表示される。即ち、表示部の画面に表示されている映像上にメニューが合成表示される。
【００１４】
この映像調整用のメニューは、この例では、バックライトの明るさを調整するための項目「バックライト（Backlight）」と、画面に表示された映像のコントラストを調整するための項目「コントラスト（Contrast）」と、輝度を調整するための項目「輝度（Brightness）」と、色調を調整するための項目「色調（Color）」と、色合いを調整するための項目「色合い（Tint）」と、各項目の設定値を初期値にリセットするための項目「リセット（Reset）」からなる。
【００１５】
各項目は、項目を表すタイトルと、数字で示される設定値と、設定値を示す図形であるスライダーとからなり、項目「リセット」はタイトルのみからなる。
【００１６】
次に、ステップＳ３において、リモートコントローラ１００の上ボタン１３１または下ボタン１３２が押されたか否か、即ち、リモートコントローラ１００の上ボタン１３１が押されたことを示す制御信号、または下ボタン１３２が押されたことを示す制御信号が受信されたか否かが判定される。
【００１７】
その結果、上ボタン１３１および下ボタン１３２のいずれも押されていないと判定された場合、ステップＳ３の処理が繰り返し実行される。一方、上ボタン１３１または下ボタン１３２が押されたと判定された場合、ステップＳ４に進む。
【００１８】
ステップＳ４においては、上ボタン１３１および下ボタン１３２の操作に応じて表示部の画面に表示されたカーソルが移動する。即ち、上ボタン１３１が押されたときには、表示部の画面に表示された映像調整用のメニューを構成する各項目のうちの所定の項目上に合成表示されているカーソル（例えば、項目を囲む矩形のカーソル）が上方向に項目毎に移動させられる。一方、下ボタン１３２が押されたときには、カーソルが下方向に項目毎に移動させられる。
【００１９】
いま、上ボタン１３１または下ボタン１３２の操作によって、図１に示すように、表示部の画面に表示されている映像上に合成表示されたメニューの中の項目「輝度（Brightness）」上にカーソルがあり、その項目がカーソルによって選択され、その項目の調整値が初期値０に設定されているものとする。
【００２０】
次に、ステップＳ５において、リモートコントローラ１００の左ボタン１３３または右ボタン１３４が押されたか否かが判定される。その結果、左ボタン１３３および右ボタン１３４のいずれも押されていないと判定された場合、ステップＳ３に戻り、ステップＳ３以降の処理が繰り返し実行される。一方、左ボタン１３３または右ボタン１３４が押されたと判定された場合、ステップＳ６に進む。
【００２１】
ステップＳ６においては、制御部の制御下、表示部の画面に表示されている映像上に合成表示されている映像調整用のメニューが消去される。図４は、表示部の画面に表示されている映像上に合成表示されていたメニューが消去され、映像のみが表示されている状態を示している。
【００２２】
次に、ステップＳ７において、左ボタン１３３および右ボタン１３４の少なくともいずれかが操作されたことに対応して、カーソルによって選択された項目の調整値を変化させる。左ボタン１３３が押されたときは調整値を小さくし、右ボタン１３４が押されたときは調整値を大きくする。
【００２３】
このとき、左ボタン１３３を押す度に調整値が所定量ずつ小さくなるようにしたり、左ボタン１３３を押している間、調整値が所定量ずつ継続して小さくなるようにすることができる。右ボタン１３４についても同様である。
【００２４】
次に、ステップＳ８において、制御部は、新たな調整値に基づいて、表示部に表示している映像の画質を調整する。
【００２５】
次に、ステップＳ９において、リモートコントローラ１００の決定ボタン１４０が押されたか否かが判定される。その結果、決定ボタン１４０が押されていないと判定された場合、ステップＳ３に戻り、ステップＳ３以降の処理が繰り返し実行される。一方、決定ボタン１４０が押されたと判定された場合、現在の調整値を最終の調整値として設定し、ステップＳ１０に進む。
【００２６】
ステップＳ１０においては、設定された調整値に基づいて更新されたメニューが表示される。即ち、左ボタン１３３および右ボタン１３４の少なくともいずれかが操作されて調整値が変更され、さらに決定ボタン１４０が押されて設定された調整値に対応するメニューが表示される。
【００２７】
図５は、調整値が確定した後、表示部の画面に更新されたメニューが表示された状態を示している。図５に示した例においては、映像調整用のメニューを構成する各項目のうち、カーソルで選択された輝度（Brightness）の値が右ボタン１３４の操作によって値＋８に設定され、調整値を示すスライダーのバーが値＋８に対応する位置に移動している。
【００２８】
次に、ステップＳ１１において、映像調整が終了したか否かが判定される。即ち、リモートコントローラ１００のメニューボタン１６０が押されたか否かが判定される。表示部の画面に映像調整用のメニューが表示されている状態でメニューボタン１６０が押されたとき、映像調整の終了が指示されたと判定される。
【００２９】
その結果、映像調整の終了が指示されていないと判定された場合、ステップＳ３に戻り、ステップＳ３以降の処理が繰り返し実行される。一方、映像調整の終了が指示されたと判定された場合、ステップＳ１２に進む。
【００３０】
ステップＳ１２においては、制御部の制御により、表示部の画面に表示されていた映像調整用のメニューが消去され、映像調整処理を終了する。
【００３１】
このように、映像調整時には、表示部の画面に表示されていた映像調整用のメニューが消去され、映像のみが表示されるため、画面全体に表示された映像の変化を見ながら各種調整値を所望の値に設定することができる。
【００３２】
図６は、映像調整時に、表示部の画面に表示されている映像上に合成表示されている映像調整用のメニューが一旦消去され、選択された項目の調整用のスライダーが画面に表示されるようにした場合の画面表示例を示している。この例では、スライダーのバーの位置からおおよその調整値を目視で確認しながら、映像調整を行うことができる。
【００３３】
次に、図７のフローチャートを参照して、テレビジョン受像機２００による映像調整処理の第２の手順について説明する。図７は、リモートコントローラ１００より送信される制御信号を受信したテレビジョン受像機２００の制御部が行う映像調整処理の第２の手順を示すフローチャートである。
【００３４】
まず、ステップＳ２１において、テレビジョン受像機２００の制御部により、リモートコントローラ１００よりメニューボタン１６０に対応する制御信号が送信されてきたか否かに基づいて、リモートコントローラ１００のメニューボタン１６０が押されたか否かが判定される。
【００３５】
その結果、メニューボタン１６０が押されていないと判定された場合、ステップＳ２１の処理が繰り返し実行される。一方、メニューボタン１６０が押されたと判定された場合、ステップＳ２２に進む。
【００３６】
ステップＳ２２においては、制御部の制御下、合成部が映像とメニューを合成した合成映像信号を生成して表示部に供給し、図１に示したような映像調整用のメニューが表示部の画面にＯＳＤ（On Screen Display）表示される。即ち、表示部の画面に表示されている映像上にメニューが合成表示される。
【００３７】
この映像調整用のメニューは、この例では、バックライトの明るさを調整するための項目「バックライト（Backlight）」と、画面に表示された映像のコントラストを調整するための項目「コントラスト（Contrast）」と、輝度を調整するための項目「輝度（Brightness）」と、色調を調整するための項目「色調（Color）」と、色合いを調整するための項目「色合い（Tint）」と、各項目の設定値を初期値にリセットするための項目「リセット（Reset）」からなる。
【００３８】
各項目は、項目を表すタイトルと、数字で示される設定値と、設定値を示す図形であるスライダーとからなり、項目「リセット」はタイトルのみからなる。
【００３９】
次に、ステップＳ２３において、リモートコントローラ１００の上ボタン１３１または下ボタン１３２が押されたか否か、即ち、リモートコントローラ１００の上ボタン１３１が押されたことを示す制御信号、または下ボタン１３２が押されたことを示す制御信号が受信されたか否かが判定される。
【００４０】
その結果、上ボタン１３１および下ボタン１３２のいずれも押されていないと判定された場合、ステップＳ２３の処理が繰り返し実行される。一方、上ボタン１３１または下ボタン１３２が押されたと判定された場合、ステップＳ２４に進む。
【００４１】
ステップＳ２４においては、上ボタン１３１および下ボタン１３２の操作に応じて表示部の画面に表示されたカーソルが移動する。即ち、上ボタン１３１が押されたときには、表示部の画面に表示された映像調整用のメニューを構成する各項目のうちの所定の項目上に合成表示されているカーソル（例えば、項目を囲む矩形のカーソル）が上方向に項目毎に移動させられる。一方、下ボタン１３２が押されたときには、カーソルが下方向に項目毎に移動させられる。
【００４２】
いま、上ボタン１３１または下ボタン１３２の操作によって、図１に示すように、表示部の画面に表示されている映像上に合成表示されたメニューの中の項目「輝度（Brightness）」上にカーソルがあり、その項目がカーソルによって選択され、その項目の調整値が初期値０に設定されているものとする。
【００４３】
次に、ステップＳ２５において、リモートコントローラ１００の左ボタン１３３または右ボタン１３４が押されたか否かが判定される。その結果、左ボタン１３３および右ボタン１３４のいずれも押されていないと判定された場合、ステップＳ２３に戻り、ステップＳ２３以降の処理が繰り返し実行される。一方、左ボタン１３３または右ボタン１３４が押されたと判定された場合、ステップＳ２６に進む。
【００４４】
ステップＳ２６においては、制御部の制御下、表示部の画面に表示されている映像上に合成表示されている映像調整用のメニューが一旦消去され、図６に示したように、スライダーが画面の任意の位置に表示される。図６に示した表示例では、画面の下部領域に表示されているが、他の領域に表示することもできる。
【００４５】
次に、ステップＳ２７において、左ボタン１３３および右ボタン１３４の少なくともいずれかが操作されたことに対応して、カーソルによって選択された項目の調整値を変化させる。左ボタン１３３が押されたときは調整値を小さくし、右ボタン１３４が押されたときは調整値を大きくする。
【００４６】
このとき、左ボタン１３３を押す度に調整値が所定量ずつ小さくなるようにしたり、左ボタン１３３を押している間、調整値が所定量ずつ継続して小さくなるようにすることができる。右ボタン１３４についても同様である。
【００４７】
次に、ステップＳ２８において、制御部は、設定された新たな調整値に基づいて、表示部に表示している映像の画質を調整するとともに、スライダーのバーの位置を更新表示する。即ち、調整値が変化するのに伴って、制御部の制御下、スライダーのバーの位置が調整値に対応する位置に移動されるので、ボタン操作に応じてリアルタイムでおおよその調整値を知ることができる。また、スライダーのバーの上部等に調整値を表示することもできる。
【００４８】
次に、ステップＳ２９において、リモートコントローラ１００の決定ボタン１４０が押されたか否かが判定される。その結果、決定ボタン１４０が押されていないと判定された場合、ステップＳ２３に戻り、ステップＳ２３以降の処理が繰り返し実行される。一方、決定ボタン１４０が押されたと判定された場合、現在の調整値を最終の調整値として設定し、ステップＳ３０に進む。
【００４９】
ステップＳ３０においては、制御部の制御下、スライダーが消去された後、設定された調整値に基づいて更新されたメニューが表示される。即ち、左ボタン１３３および右ボタン１３４の少なくともいずれかが操作されて調整値が変更され、さらに決定ボタン１４０が押されて設定された調整値に対応するメニューが表示される。
【００５０】
図５は、調整値が確定した後、表示部の画面に更新されたメニューが表示された状態を示している。図５に示した例においては、映像調整用のメニューを構成する各項目のうち、カーソルで選択された輝度（Brightness）の値が右ボタン１３４の操作によって値＋８に設定され、調整値を示すスライダーのバーのバーが値＋８に対応する位置に移動している。
【００５１】
次に、ステップＳ３１において、映像調整が終了したか否かが判定される。即ち、リモートコントローラ１００のメニューボタン１６０が押されたか否かが判定される。表示部の画面に映像調整用のメニューが表示されている状態でメニューボタン１６０が押されたとき、映像調整の終了が指示されたと判定される。
【００５２】
その結果、映像調整の終了が指示されていないと判定された場合、ステップＳ２３に戻り、ステップＳ２３以降の処理が繰り返し実行される。一方、映像調整の終了が指示されたと判定された場合、ステップＳ３２に進む。
【００５３】
ステップＳ３２においては、制御部の制御により、表示部の画面に表示されていた映像調整用のメニューが消去され、映像調整処理を終了する。
【００５４】
このように、図６に示した表示例では、メニューが消去された後、スライダーが表示されるので、スライダーのバーの位置によって表される調整値をリアルタイムで確認しながら、各調整項目の調整を行うことができる。
【００５５】
なお、上記実施の形態において、左ボタン１３３を所定時間以上継続して押し続けると、調整値が自動的に所定量ずつ継続して小さくなるように変化し、決定ボタン１４０が押されたときに調整値の変化が止まり、そのときの調整値が最終の調整値として設定されるようにすることができる。また、上記実施の形態において、メニューを構成する調整可能な各項目は例であってこれらに限定されるものではない。
【００５６】
また、上記実施の形態の構成及び動作は例であって、本発明の趣旨を逸脱しない範囲で適宜変更することができることは言うまでもない。
【産業上の利用可能性】
【００５７】
本発明の活用例として、例えば、テレビジョン受像機だけでなく、ビデオテープレコーダー、ＤＶＤ（Digital Versatile Disc）プレーヤ、ハードディスク録画装置等においてメニューを表示して映像調整を行う際にも本発明を適用することができる。
【図面の簡単な説明】
【００５８】
【図１】本発明の表示制御装置を応用したテレビジョン受像機と、テレビジョン受像機を制御するリモートコントローラを示す図である。
【図２】リモートコントローラの一実施の形態の外観図である。
【図３】テレビジョン受像機による映像調整処理の第１の手順を説明するフローチャートである。
【図４】表示部の画面に表示されていたメニューが消去され、映像のみが表示されている状態を示す図である。
【図５】調整値が確定した後、表示部の画面に更新されたメニューが表示された状態を示す図である。
【図６】表示部の画面に表示されたスライダーの例を示す図である。
【図７】テレビジョン受像機による映像調整処理の第２の手順を説明するフローチャートである。
【符号の説明】
【００５９】
１００  リモートコントローラ
１１０  電源ボタン
１２０  チャンネル選択部
１３１  上ボタン
１３２  下ボタン
１３３  左ボタン
１３４  右ボタン
１４０  決定ボタン
１５０  音量ボタン
１６０  メニューボタン
２００  テレビジョン受像機
【図１】
2008102328.tif 000003
【図２】
2008102328.tif 000004
【図３】
2008102328.tif 000005
【図４】
2008102328.tif 000006
【図５】
2008102328.tif 000007
【図６】
2008102328.tif 000008
【図７】
2008102328.tif 000009